(57)【要約】【課題】立ち上がり管の支持作業および高さ調整作業の簡素化を図れる給水・給湯用立ち上がり管の支持装置を提供する。【解決手段】床スラブ２上に固定された支持スタンド８と、この支持スタンド８に取り付けられ立ち上がり管１が挿通された弾性材からなる拡縮径自在なクリップ部材９とを備える。クリップ部材９は立ち上がり管１の外周面との接触面間で摩擦を生ぜしめこの摩擦力のみで任意高さ位置で静止し、かつ、立ち上がり管１はこれに作用させる手動操作力で前記摩擦力に抗して上下方向にスライド可能になしている。【選択図】図２
2007132430.tif 000002
【特許請求の範囲】
【請求項１】
下端部が床スラブ上に這わされる給水・給湯用の床下配管に、上端部が末端に器具を接続する床上配管にそれぞれ接続される立ち上がり管を、前記床スラブ上に支持固定する給水・給湯用立ち上がり管の支持装置において、
前記床スラブ上に固定された支持スタンドと、この支持スタンドに取り付けられ前記立ち上がり管が挿通された弾性材からなる拡縮径自在なクリップ部材とを備え、前記クリップ部材は、前記立ち上がり管の外周面との接触面間で摩擦力を生ぜしめこの摩擦力のみで該立ち上がり管を任意高さ位置で静止でき、かつ、前記立ち上がり管に作用させる手動操作力で該立ち上がり管を前記摩擦力に抗して上下方向にスライド可能になしていることを特徴とする、給水・給湯用立ち上がり管の支持装置。
【請求項２】
前記クリップ部材は、前記支持スタンドに取り付けられる固定基部と、この固定基部に一体に形成され円周一部に開離部を有する拡縮径自在な抱持筒部とを有する形に形成されている、請求項１記載の給水・給湯用立ち上がり管の支持装置。
【請求項３】
前記クリップ部材は、前記支持スタンドに取り付けられる固定基部と、この固定基部に一体に形成された拡縮径自在な一対の半割り抱持筒部片からなる抱持筒部、および前記抱持筒部片の開離側先端部どうし間に形成される開離部とを有し、一方の抱持筒部片の開離側先端部に係止爪を、もう一方の抱持筒部片の開離側先端部に前記係止爪が係合する係合溝部をそれぞれ設けている、請求項１記載の給水・給湯用立ち上がり管の支持装置。
【請求項４】
前記クリップ部材は、前記支持スタンドに取り付けられる固定基部と、この固定基部に一体に形成され円周一部に開離部を有する拡縮径自在な抱持筒部と、該抱持筒部に基端部が薄肉の一体成形ヒンジを介して折曲自在に一体に連設されて前記開離部の外方を覆い得る円弧形状に形成された締付バンド部片と、該締付バンド部片の先端部に設けられ前記抱持筒部に設けた係合溝部に係合する係止爪とを有する形に形成されている、請求項１記載の給水・給湯用立ち上がり管の支持装置。
【請求項５】
下端部が床スラブ上に這わされる給水・給湯用の床下配管に、上端部が末端に器具を接続する床上配管にそれぞれ接続される立ち上がり管を、前記床スラブ上に支持固定するに際し、先ず、床スラブ上に支持スタンドを固定するとともに、前記支持スタンドに取り付けられた弾性材からなる拡縮径自在なクリップ部材に前記立ち上がり管を前記クリップ部材との接触面間で摩擦力が生じるように挿通させ、次いで、前記立ち上がり管を手動操作で前記摩擦力に抗して上下方向にスライドさせて床板高さ以上に引き上げ、次いで、床板をこの床板に設けた開口部から前記引き上げ管の上端部が突出するように張った後に前記引き上げ管を手動操作で前記摩擦力に抗し押し下げて床板高さ位置にまで押し下げて前記摩擦力のみで静止保持させることを特徴とする、給水・給湯用立ち上がり管の支持方法。
【発明の詳細な説明】
【技術分野】
【０００１】
本発明は、給水・給湯を行う配管システムにおいて、床スラブ上に這わされる床下配管と、末端に給水ヘッダー、給湯ヘッダー等の器具を接続する床上配管とを接続する立ち上がり管を、床スラブ上に支持固定する給水・給湯用立ち上がり管の支持装置およびその支持方法に関する。
【背景技術】
【０００２】
従来、給水・給湯を行う配管システムにおいて、例えば、床スラブ上に這わされる可撓性の床下配管から床板へ向けて立ち上げる立ち上げ管部を床スラブ上に保持するための管保持部材が提案されている（例えば、特許文献１参照。）。図７に示すように、その管保持部材３０は、床スラブ３１に固定する固定部３２と、床下配管３３からの立ち上がり管部３４を床スラブ３１に対して水平移動のみを規制するよう保持する管移動規制手段３５とを備える。そして、固定部３２は短筒形状に形成され、一方、管移動規制手段３５は、側面の少なくとも一部を切り欠いた筒形状に形成されており、管移動規制手段３５の下端部を固定部３２の筒内又は筒外に差し込むようにしたものである。かかる管保持部材３０を用いて立ち上がり管部３４を垂直状態に立ち上げるには、先ず、固定部３２を床スラブ３１に固定する。次いで管移動規制手段３５の側面の切り欠き部分から立ち上がり管部３４を挿通し、しかる後該管移動規制手段３５の下端部を固定部３２の筒部に差し込むのである。
【０００３】
【特許文献１】特開２００４−１１６７５９号公報
【発明の開示】
【発明が解決しようとする課題】
【０００４】
しかしながら、上記のような管保持部材３０を用いて立ち上がり管部３４を垂直状態に立ち上げるものでは、立ち上がり管部３４を挿通した状態の管移動規制手段３５の下端部を固定部３２の筒部に差し込まなければならず、この作業は煩わしい。
また、多様な床板３８の高さに対応できるように管移動規制手段３５の上下の高さ調整を可能にするには、図８のように、管移動規制手段３５の上部に筒形状の高さ調整手段３７を嵌め込み、床板３８の高さに合わせて高さ調整手段３７を上下に動かすというものであるが、これでは管移動規制手段３５とは別途に高さ調整手段３７を用意する必要がある。また、この高さ調整は、床板３８を張る前に行う必要がある。
さらに、上記のように立ち上がり管部３４を立ち上げ、床板３８を張った後は、継手３９を立ち上がり管部３４の上端部に取り付けると共に床板３８に固定するが、その際、一度、立ち上がり管部３４を床板３８の開口部４０から引き上げてから押下げる必要があり、その引き上げ作業は床下から行わなければならず、甚だ煩わしかった。
【０００５】
本発明は、このような問題を解決するためになされたものであり、その目的とするところは、上記のような、床下配管から床板へ向けて立ち上がる立ち上げ管を床スラブに支持するものにおいて、立ち上がり管の支持作業および高さ調整作業の簡素化を図れる給水・給湯用立ち上がり管の支持装置およびその支持方法を提供することにある。
【課題を解決するための手段】
【０００６】
本発明の給水・給湯用立ち上がり管の支持装置は、下端部が床スラブ上に這わされる給水・給湯用の床下配管に、上端部が末端に器具を接続する床上配管にそれぞれ接続される立ち上がり管を、前記床スラブ上に支持固定する給水・給湯用立ち上がり管の支持装置において、前記床スラブ上に固定された支持スタンドと、この支持スタンドに取り付けられ前記立ち上がり管が挿通された弾性材からなる拡縮径自在なクリップ部材とを備え、前記クリップ部材は、前記立ち上がり管の外周面との接触面間で摩擦力を生ぜしめこの摩擦力のみで前記立ち上がり管を任意高さ位置で静止でき、かつ、前記立ち上がり管に作用させる手動操作力で該立ち上がり管を前記摩擦力に抗して上下方向にスライド可能になしていることに特徴を有するものである。
【０００７】
この場合において、前記クリップ部材は、前記支持スタンドに取り付けられる固定基部と、この固定基部に一体に形成され円周一部に開離部を有する拡縮径自在な抱持筒部とを有する形に形成することができる。また、前記クリップ部材は、前記支持スタンドに取り付けられる固定基部と、この固定基部に一体に形成された拡縮径自在な一対の半割り抱持筒部片からなる抱持筒部、および前記抱持筒部片の開離側先端部どうし間に形成される開離部とを有し、一方の抱持筒部片の開離側先端部に係止爪を、もう一方の抱持筒部片の開離側先端部に前記係止爪が係合する係合溝部をそれぞれ設けたものとすることもできる。さらに、前記クリップ部材は、前記支持スタンドに取り付けられる固定基部と、この固定基部に一体に形成され円周一部に開離部を有する拡縮径自在な抱持筒部と、該抱持筒部に基端部が薄肉の一体成形ヒンジを介して折曲自在に一体に連設されて前記開離部の外方を覆い得る円弧形状に形成された締付バンド部片と、該締付バンド部片の先端部に設けられ前記抱持筒部に設けた係合溝部に係合する係止爪とを有する形に形成することもできる。
【０００８】
本発明の給水・給湯用立ち上がり管の支持方法は、下端部が床スラブ上に這わされる給水・給湯用の床下配管に、上端部が末端に器具を接続する床上配管にそれぞれ接続される立ち上がり管を、前記床スラブ上に支持固定するに際し、先ず、床スラブ上に支持スタンドを固定するとともに、前記支持スタンドに取り付けられた弾性材からなる拡縮径自在なクリップ部材に前記立ち上がり管を前記クリップ部材との接触面間で摩擦力が生じるように挿通させ、次いで、前記立ち上がり管を手動操作で前記摩擦力に抗して上下方向にスライドさせて床板高さ以上に引き上げ、次いで、床板をこの床板に設けた開口部から前記引き上げ管の上端部が突出するように張った後に前記引き上げ管を手動操作で前記摩擦力に抗し押し下げて床板高さ位置にまで押し下げて前記摩擦力のみで静止保持させることに特徴を有するものである。
【発明の効果】
【０００９】
本発明の給水・給湯用立ち上がり管の支持装置および支持方法によれば、支持スタンドに取り付けられたクリップ部材に対し立ち上がり管を該立ち上がり管の外周面とクリップ部材との接触面間で生じる摩擦力に抗して上下方向にスライドさせることで任意高さ位置に静止保持できるように挿通してあるので、床板を張る前において、予め立ち上がり管をクリップ部材から摩擦抵抗に抗して床板高さ以上の高さにまで引き上げてこの高さ位置では摩擦抵抗で静止させることができ、次いで床板が該床板の開口部から立ち上がり管の上端部が突出するように張った後においては、作業者の手で立ち上がり管を前記開口部内に押し下げるだけの簡単な操作で立ち上がり管を床板高さに合致する高さ位置に静止支持させることができる。したがって、床板を張る前において予め立ち上がり管をクリップ部材から床板高さ以上の高さにまで引き上げてさえしておけば、床板を張る前に、立ち上がり管を床板の高さに合うように高さ調整をする面倒な作業をしなくて済み、また立ち上がり管の押し下げ量を加減することにより床板高さの寸法公差内でのばらつきや床板高さの変更にもよく対応できる。
【００１０】
立ち上がり管はクリップ部材との接触面間で生じる摩擦抵抗のみで静止保持でき、また手動操作で摩擦力に抗して上下方向にスライドできるようにしてあるので、別途高さ調整部材や任意高さ位置に止め付けるためのねじ部材などを一切不要とする。
【発明を実施するための最良の形態】
【００１１】
本発明の好適な実施形態を図面に基づき説明する。図１は本発明の一実施例を示す給水・給湯用立ち上がり管の支持装置を床板張り直後の状態で示す正面図、図２は同支持装置を床上配管と接続した状態で示す正面図、図３は図１におけるＡ−Ａ線断面図、図４は同支持装置により支持された給水・給湯用立ち上がり管の上端部に床上配管を接続した施工例図である。
【００１２】
図４に示すように、本発明の対象とする給水・給湯用の立ち上がり管１はポリブテン管等からなって、その下端部が床スラブ２上に這わされる給水・給湯用の床下配管３の末端部にエルボ４を介して接続され、その上端部が末端に給水ヘッダー、給湯ヘッダー等の器具５が接続される床上配管６の先端部に継手７を介して接続されるものである。そして、本発明に係る給水・給湯用立ち上がり管の支持装置は、図１、図３に示すように、床スラブ２上に固定される支持スタンド８と、この支持スタンド８に一体的に取り付けられ立ち上がり管１が挿通される合成樹脂等弾性材からなる拡縮径自在なクリップ部材９とを備える。クリップ部材９は立ち上がり管１の外周面との接触面間で摩擦を生ぜしめこの摩擦力のみで立ち上がり管１を任意高さ位置で静止させ、かつ、立ち上がり管１はこれに作用させる手動操作力で前記摩擦力に抗して上下方向にスライド可能になしている。
【００１３】
上記支持スタンド８は、具体的には、例えば、図１に示すように、床スラブ２にボルト等固定具１０で固定される金属製の固定板部８ａと、この固定板部８ａから立ち上げられる垂直板部８ｂとを有するＬ形状などに形成してなる。
【００１４】
上記クリップ部材９は、具体的には、例えば、図１、図３に示すように、支持スタンド８の垂直板部８ｂの上端寄りにビス１１等で一体的に取り付けられる固定基部１２と、この固定基部１２に一体に形成され円周一部に開離部１３を有する拡縮径自在な抱持筒部１４、および抱持筒部１４に基端部が薄肉の一体成形ヒンジ１５を介して折曲自在に一体に連設されて開離部１３の外方を覆い得る円弧形状に形成された締付バンド部片１６とを有する樹脂成形品である。
【００１５】
締付バンド部片１６の先端部には係止爪１７が設けられ、この締付バンド部片１６は、抱持筒部１４の開離部１３の外方を覆い塞ぐと共に、抱持筒部１４の外周面に周方向に所定ピッチで列設した複数個の係合溝部１８群のうち任意の係合溝部１８に係止爪１７を係合させることにより、抱持筒部１４の開離部１３がこれの開離幅を狭められように締め付けることができる。締付バンド部片１６により抱持筒部１４が開離部１３の開離幅を狭められるよう締め付けられたときにおける抱持筒部１４の、立ち上がり管非挿通状態での内径は、立ち上がり管１の外径よりも小さく設定される。かくして、立ち上がり管１が開離部１３から抱持筒部１４に挿通され締付バンド部片１６で締め付けられると、立ち上がり管１は抱持筒部１４の内周面との接触面間で摩擦力を生じこの摩擦抵抗で任意高さ位置に静止でき、作業者の手によって立ち上がり管１に摩擦抵抗に抗して引き上げ力或いは押し下げ力を作用させると立ち上がり管１を上下方向にスライドさせることができる。
【００１６】
クリップ部材９としては、上記のように開離部１３および締付バンド部片１６を備えたものを採用することにより、立ち上がり管１をクリップ部材９に開離部１３を介して一側方から挿通させることができ、挿通後は締付バンド部片１６で所定の摩擦抵抗を得るべく緊締させることができる。
【００１７】
その他に、クリップ部材９は、上記締付バンド部片１６を有しない形のものであってもよく、例えば、図５（ａ），（ｂ）に示すように、支持スタンド８の垂直板部８ｂの上端寄りにビス１１等で一体的に取り付けられる固定基部１２と、この固定基部１２に一体に形成され円周一部に開離部１３を有する拡縮径自在な抱持筒部１４とを有するものであってもよい。これにおいても、立ち上がり管１をクリップ部材９に開離部１３を介して一側方から挿通させることができ、また立ち上がり管１を抱持筒部１４の内周面との接触面間で摩擦力を発生させて任意高さ位置に静止でき、作業者の手によって立ち上がり管１を摩擦力に上下方向にスライドさせることができる。
また、クリップ部材９は、図６（ａ），（ｂ）に示すように、支持スタンド８の垂直板部８ｂの上端寄りにビス１１等で一体的に取り付けられる固定基部１２と、この固定基部１２に一体に形成された拡縮径自在な一対の半割り抱持筒部片１４ａ，１４ｂからなる抱持筒部１４、および抱持筒部片１４ａ，１４ｂの開離側先端部どうし間に形成される開離部１３とを有するものであってもよい。この場合、一方の抱持筒部片１４ａの開離側先端部に係止爪２３を設け、もう一方の抱持筒部片１４ａの開離側先端部に複数個の係合溝部２４群定ピッチで列設して、係合溝部２４群のうち任意の係合溝部２４に係止爪２３を係合させることにより、立ち上がり管１を抱持筒部１４の内周面との接触面間で摩擦力を生じるように締め付けられるようにしてある。
要は、クリップ部材９は、立ち上がり管１の外周面との接触面間で摩擦力を生ぜしめこの摩擦力のみで立ち上がり管１を任意高さ位置で静止でき、かつ、立ち上がり管１に作用させる手動操作力で前記摩擦力に抗して立ち上がり管１１を上下方向にスライド可能に挿通できるものであればよい。
【００１８】
次に、上記支持スタンド８およびクリップ部材９を用いて立ち上がり管１を床スラブ２上に支持する方法について説明する。
【００１９】
先ず、床板１９を張る前において、図１に示すように、支持スタンド８を床スラブ２上の所定位置に固定する。また、支持スタンド８を床スラブ２に固定した後、または支持スタンド８を床スラブ２に固定する前に、床スラブ２上に這わされる給水・給湯用の床下配管３の末端部に接続された立ち上がり管１をクリップ部材９に挿通する。その際、予め立ち上がり管１を作業者の手でクリップ部材９から摩擦抵抗に抗して床板１９の所望高さ以上の高さにまで高く引き上げておく。この引き上げ位置では立ち上がり管１はクリップ部材９の抱持筒部１４の内面との接触面間で生じる摩擦抵抗のみで静止保持される。
【００２０】
次いで、床板１９を張るが、このとき、図１のように、床板１９に設けてある開口部２０から立ち上がり管１の上端部に接続している継手７が突出するように床板１９が張られる。床板１９を張った後は、図２に示すように、立ち上がり管１の上端部の継手７にフランジ２１をねじ込み、立ち上がり管１をフランジ２１が床板１９の上に重なり合うまで手動操作で押し下げる。これにより立ち上がり管１は床板１９の所望高さ位置に合致する高さ位置に設置されることになる。フランジ２１は床板１９にビス等で固定される。
最後に、図４に示すように、立ち上がり管１の上端部に床上配管６の先端部が継手７を介して接続され、床上配管６の末端に給水ヘッダー、給湯ヘッダー等の器具５が接続される。
【００２１】
上記のように、床板１９を張る前において、立ち上がり管１をクリップ部材９から摩擦抵抗に抗して床板１９の所望高さ以上に高く引き上げておき、床板１９を張った後は、立ち上がり管１は手動操作による押し下げ力がクリップ部材９の抱持筒部１４の内面との摩擦抵抗に抗して加えられることにより床板１９の所望高さ位置に合致する高さ位置に設置されることになる。したがって、床板１９が張られる前に、立ち上がり管１を床板１９の高さに合うように高さ調整をする面倒な作業はしなく済む。また、立ち上がり管１は手動操作で摩擦力に抗して押し下げる操作のみで簡単に所要の高さ位置を出すことができ、この押し下げ量を加減することにより床板１９の高さ寸法公差内でのばらつきや床板１９の高さ寸法の変更にもよく対応できる。
【００２２】
また、立ち上がり管１は手動操作で摩擦力に抗して押し下げるのみで所要高さ位置を出すことができることから、高さ調整部材などを一切使用することなく、立ち上がり管１の支持作業を能率よく進めることができる。
【図面の簡単な説明】
【００２３】
【図１】本発明の一実施例を示す給水・給湯用立ち上がり管の支持装置を床板張り直後の状態で示す正面図である。
【図２】同支持装置を床上配管と接続した状態で示す正面図である。
【図３】図１におけるＡ−Ａ線断面図である。
【図４】同支持装置により支持された給水・給湯用立ち上がり管の上端部に床上配管を接続した施工例図である。
【図５】同支持装置に使用するクリップ部材の変形例を示し、（ａ）はクリップ部材及び支持スタンドの平面図、（ｂ）はクリップ部材に立ち上がり管を挿通した状態で示すクリップ部材及び支持スタンドの平面図である。
【図６】同支持装置に使用するクリップ部材の他の変形例を示し、（ａ）はクリップ部材及び支持スタンドの平面図、（ｂ）はクリップ部材に立ち上がり管を挿通した状態で示すクリップ部材及び支持スタンドの平面図である。
【図７】従来例の管保持部材を用いて立ち上がり管部を立ち上げた状態を示す断面図である。
【図８】従来例の管保持部材に高さ調整手段を取り付けて立ち上がり管部を立ち上げた状態を示す断面図である。
【符号の説明】
【００２４】
１  立ち上がり管
２  床スラブ
３  床上配管
５  器具
６  床上配管
８  支持スタンド
９  クリップ部材
１２  固定基部
１３  開離部
１４  抱持筒部
１４ａ，１４ｂ  半割り抱持筒部片
１５  一体成形ヒンジ
１６  締付バンド部片
１７，２３  係止爪
１８，２４  係合溝部
１９  床板
２０  開口部
【図１】
2007132430.tif 000003
【図２】
2007132430.tif 000004
【図３】
2007132430.tif 000005
【図４】
2007132430.tif 000006
【図５】
2007132430.tif 000007
【図６】
2007132430.tif 000008
【図７】
2007132430.tif 000009
【図８】
2007132430.tif 000010